(57)【要約】  ベースプレート（１）と、該ベースプレート（１）の上方に鉛直方向間隔（２）をおいて配置されたワーキングプレート（３）とを有し、ベースプレート（１）とワーキングプレート（３）とが、鉛直方向間隔（２）に配置された連結体（４）によって互いに結合されているクリーニングカートにおいて、連結体（４）は、少なくとも２つの互いに非平行に延びるストラット（５，６）によって形成されている。
2016522111.tif 000002
【特許請求の範囲】
【請求項１】
ベースプレート（１）と、該ベースプレート（１）の上方に鉛直方向間隔（２）をおいて配置されたワーキングプレート（３）とを有し、前記ベースプレート（１）と前記ワーキングプレート（３）とが、前記鉛直方向間隔（２）に配置された連結体（４）によって互いに結合されているクリーニングカートであって、
前記連結体（４）は、少なくとも２つの互いに非平行に延びるストラット（５，６）によって形成されていることを特徴とする、クリーニングカート。
【請求項２】
前記ストラット（５，６）はそれぞれ第１の端面側の端部（７，８）で、前記ベースプレート（１）の第１の固定領域（９）に結合されていて、かつそれぞれ第２の端面側の端部（１０，１１）で、前記ワーキングプレート（３）の第２の固定領域（１２）に結合されている、請求項１記載のクリーニングカート。
【請求項３】
前記第１の固定領域（９）は第１の面（１３）を有し、前記第２の固定領域（１２）は第２の面（１４）を有しており、前記第１の面（１３）は前記第２の面（１４）よりも小さいか又は前記第２の面（１４）は前記第１の面（１３）よりも小さい、請求項２記載のクリーニングカート。
【請求項４】
前記ストラット（５，６）の前記第１の端面側の端部（７，８）は、互いの間に第１の間隔（１５）を有し、前記ストラット（５，６）の前記第２の端面側の端部（１０，１１）は、互いの間に第２の間隔（１６）を有しており、前記第１の間隔（１５）は前記第２の間隔（１６）よりも小さいか又は前記第２の間隔（１６）は前記第１の間隔（１５）よりも小さい、請求項２又は３記載のクリーニングカート。
【請求項５】
前記ストラット（５，６）は、当該クリーニングカートの主走行方向（１７）に対して横方向に、互いに台形状に配置されている、請求項１から４までのいずれか１項記載のクリーニングカート。
【請求項６】
前記端面側の端部（７，８，１０，１１）は、摩擦力結合式及び/又は形状結合式に、前記ベースプレート（１）及び/又は前記ワーキングプレート（３）の各凹部（１８，１９，２０，２１）に配置されている、請求項１から５までのいずれか１項記載のクリーニングカート。
【請求項７】
すべてのストラット（５，６）は同一部材として形成されている、請求項１から６までのいずれか１項記載のクリーニングカート。
【請求項８】
前記ストラット（５，６）はそれぞれ、アンダカットを有していない、周方向において閉じられた形状を有している、請求項１から７までのいずれか１項記載のクリーニングカート。
【請求項９】
前記ストラット（５，６）はそれぞれ、円形とは異なった横断面を有している、請求項１から８までのいずれか１項記載のクリーニングカート。
【請求項１０】
前記ストラット（５，６）は楕円形横断面を有していて、該楕円形横断面のそれぞれの長軸（２２，２３）は、ほぼ当該クリーニングカートの主走行方向（１７）に延びている、請求項１から９までのいずれか１項記載のクリーニングカート。
【請求項１１】
互いに台形状に配置されている前記ストラット（５，６）の前記長軸（２２，２３）は、前記主走行方向（１７）において互いに収斂するように配置されている、請求項１０記載のクリーニングカート。
【請求項１２】
前記長軸（２２，２３）は前記主走行方向（１７）において、２°〜４５°の角度（２４，２５）を成している、請求項１１記載のクリーニングカート。
【請求項１３】
前記凹部（１８，１９，２０，２１）は所定の奥行きを有していて、対応するストラット（５，６）が収容されている前記凹部（１８，１９，２０，２１）の奥行きと、収容された前記ストラット（５，６）の前記長軸（２２，２３）の長さとの比が、１〜３である、請求項６から１２までのいずれか１項記載のクリーニングカート。
【請求項１４】
前記ベースプレート（１）及び前記ワーキングプレート（３）はそれぞれ外側画定部（２６，２７）を有している、請求項１から１３までのいずれか１項記載のクリーニングカート。
【請求項１５】
前記ベースプレート（１）又は前記ワーキングプレート（３）は、主走行方向（１７）に対して横方向において、前記ワーキングプレート（３）又は前記ベースプレート（１）に比べて大きく又は同じ大きさに形成されている、請求項１から１４までのいずれか１項記載のクリーニングカート。
【請求項１６】
比較的小さな前記第１の固定領域（９）又は前記第２の固定領域（１２）は、比較的大きな前記ベースプレート（１）又は前記ワーキングプレート（３）の前記外側画定部（２６，２７）と共に、少なくとも１つの清掃器具のための設置面（２８）を画定している、請求項２から１５までのいずれか１項記載のクリーニングカート。
【請求項１７】
前記設置面（２８）は、少なくとも５０ｍｍの幅（２９）を有している、請求項１６記載のクリーニングカート。
【発明の詳細な説明】
【技術分野】
【０００１】
本発明は、ベースプレートと、該ベースプレートの上方に鉛直方向間隔をおいて配置されたワーキングプレートとを有し、ベースプレートとワーキングプレートとが、鉛直方向間隔に配置された連結体によって互いに結合されているクリーニングカートに関する。
【０００２】
従来の技術
このようなクリーニングカートは、一般的に知られており、しばしば、清掃会社によって、例えばオフィスフロアを清掃するのに使用される。バケツ、雑巾、ゴミバケツ及び/又は床面清掃用具のような清掃器具は、クリーニングカートに収容されるか又はクリーニングカートに固定されている。
【０００３】
すべての清掃器具を収容できるようにするために、公知のクリーニングカートは大きな寸法を有しており、このような大きな寸法にもかかわらず、清掃器具はしばしばクリーニングカートの外側に固定され、クリーニングカートの縁部側の画定部を越えて突出しているので、これによりクリーニングカートはさらに扱いにくくなり、例えば壁又は家具が、クリーニングカートの外側に掛けられた清掃器具によって傷付けられたり、又は清掃器具がクリーニングカートから落下したりするおそれが発生する。
【０００４】
発明の開示
ゆえに本発明の課題は、公知のようなクリーニングカートを改良して、コンパクトな寸法を有していて、これにより扱いやすく、かつ比較的小さな空間においても使用することができ、しかも清掃器具を必要とあれば、清掃器具がクリーニングカートの縁部側の画定部から突出しないようにクリーニングカート内に及び/又はクリーニングカートに配置することができる、クリーニングカートを提供することである。
【０００５】
この課題は、本発明によれば、請求項１記載のクリーニングカートによって解決される。本発明の好適な態様は、従属請求項に記載されている。
【０００６】
前記課題を解決するために、本発明の構成では、連結体は、少なくとも２つの互いに非平行に延びるストラットによって形成されている。
【０００７】
ベースプレートとワーキングプレートとの間における空間は、そこに例えばバケツ、雑巾、ゴミバケツ及び/又は床面清掃用具のような清掃器具を収容できるようにするのにしばしば利用される。しかしながらこの空間の寸法は、一般に、ベースプレートとワーキングプレートとを結合する連結体によって制限される。しかしながらこの場合、クリーニングカートによって運ばれる清掃器具への側部からの接近が容易に可能であることが重要である。例えば、柄の長い床面清掃用具をクリーニングカートから簡単に取出し可能で、かつ使用後に再びクリーニングカートに取付け可能であることが望ましい。
【０００８】
利用できる空間の制限は、本発明によれば、ベースプレートとワーキングプレートとを結合する少なくとも２つのストラットが互いに非平行に延びることによって最小になる。このように構成されていると、清掃器具を収容するのに使用することができる追加的な空間が得られる。ストラットが互いに非平行に延びていることによって、ストラットは一方の側における端面側で、互いに比較的小さな間隔をおいて隣接配置され、かつ他方の端面側で、比較的大きな間隔をおいて隣接配置されている。つまりストラットの端部は一方の端面側においてより近接して位置しているので、これによって、比較的密に位置するストラットの端面が配置されている対応するプレートの周囲側画定部に対して、より多くのスペースを使用することができる。
【０００９】
ストラットはそれぞれ第１の端面側の端部で、ベースプレートの第１の固定領域に結合されていて、かつそれぞれ第２の端面側の端部で、ワーキングプレートの第２の固定領域に結合されている。ストラットの数が少なければ少ないほど、かつこれらのストラットが細く繊細に形成されていればいるほど、清掃器具を収容しかつ運搬することができる、残された空間がより大きくなる。他方において、クリーニングカートは、特に該クリーニングカートが業務用に使用される場合には、十分に大きな安定性を有しかつ頑丈に構成されていることが必要であり、これによってクリーニングカートは、変わらない良好な使用特性を、例えば清掃器具に対する簡単な荷積み・荷下ろし可能性を有し、かつ長い使用時間中における良好な操縦可能性を有することになる。
【００１０】
この安定性及び保持可能性のためには、ワーキングプレートをベースプレートに支持するただ１つのストラットだけでは不十分である。また、互いに極めて隣接して位置していてベースプレート及びワーキングプレートのそれぞれの中心を互いに結合する、互いに平行に延びる２つのストラットも、クリーニングカートの十分な安定性に関し、特にベースプレートにおけるワーキングプレートの安定した支持に関して、僅かな満足しか与えることができない。
【００１１】
第１の固定領域は第１の面を有し、第２の固定領域は第２の面を有しており、第１の面は第２の面よりも小さいか又は第２の面は第１の面よりも小さい。比較的小さな面を有する固定領域は、常に、清掃器具を収容するのにより大きなスペースを有することが望ましいプレートの構成部分である。上側の柄部分が例えばワーキングプレートに保持されているフラットワイパを、ベースプレートの周囲側における制限部の下に置けるようにするために、例えばベースプレートにスペースが必要な場合には、第１の固定領域は、比較的小さな第１の面を有しており、これによって、この比較的小さな第１の面のそばに、フラットワイパを置くための十分なスペースが残されることになる。
【００１２】
反対に、例えばクリーニングクロス及び/又はクリーニングカバーをワーキングプレートの下に固定できるようにするため、又は小さなバケツを、このバケツがワーキングプレートの周囲側における制限部を越えて突出しないようにワーキングプレートの下に懸吊できるようにするために、ワーキングプレートの下において可能な限り大きなスペースを利用できるようにすることが望ましい場合には、第２の固定領域は比較的小さな面を有している。
【００１３】
従って、ストラットの第１の端面側の端部は、互いの間に第１の間隔を有し、ストラットの第２の端面側の端部は、互いの間に第２の間隔を有しており、第１の間隔は第２の間隔よりも小さいか又は第２の間隔は第１の間隔よりも小さくてよい。互いに異なった大きさの間隔によって、クリーニングカートの安定性、特にワーキングプレートとベースプレートとを結合する安定性が、ストラットが互いに平行にかつ互いに小さな間隔をおいて配置されているような構成に比べて、高められる。
【００１４】
ストラットは、クリーニングカートの主走行方向に対して横方向に、互いに台形状に配置されていてよい。このように構成されていると、ストラットは、主走行方向に配置された仮想の鉛直な平面に対して対称的に配置されることになる。ストラットのこのような台形状の又はＶ字形の配置形態は、一方では、主走行方向に対して横方向に、クリーニングカートの良好な安定性を生ぜしめ、かつ他方では、主走行方向に対して横方向に仮想の平面の両側において清掃器具のためのスペースが得られる。これによってクリーニングカート全体を、仮想の平面に対してほぼ対称的に形成することができる。
【００１５】
例えば主走行方向に対して横方向において、仮想の平面の片側においてのみ、清掃器具を収容するスペースが必要で、このスペースが、上に述べたストラットの対称的な配置形態におけるよりも大きい場合には、ストラットの１つをベースプレートとワーキングプレートとの間において鉛直に、つまり仮想の平面に対して平行に配置し、他のストラットをそれに対して傾けて配置することが可能であり、このように構成すると、一方の端面側において互いの間隔を狭められて位置するストラットと、これに起因する小さな固定領域とによって、清掃器具を収容するためのより大きなスペースが得られる。
【００１６】
ベースプレート及びワーキングプレートは、ストラットの、対応する端面側の端部を収容するための凹部を有することができ、このとき凹部とストラットの端面側の端部とは合同に構成されている。ストラットを用いたベースプレートとワーキングプレートとの結合は、このような構成によって、特に簡単かつ安定的であることが証明されている。クリーニングカートの組立ては、ストラットをベースプレート及びワーキングプレートの凹部に差し込むことによって、工具なしに簡単に行うことができる。これによってクリーニングカートの、特に簡単かつ迅速な組立て・分解が可能になる。特に業務用の使用時には、このような時間の節約は際立った利点である。
【００１７】
端面側の端部は、摩擦力結合式に各凹部に配置されていてよい。
【００１８】
端面側の端部がクリーニングカートの組立て時に各凹部内においてクランプされる場合、このクランプは例えば、ストラットが中間嵌め又は軽いプレス嵌めによって凹部内に保持されていることによって達成することができるか、又は例えば、端面側の端部を別個に形成された挿入くさびを用いて凹部と結合することによって達成することができる。一般的には、各凹部においてストラットを非素材結合式に結合することが好適である。これによってクリーニングカートを何時でも問題なく組立て・分解することができる。
【００１９】
摩擦力結合式の結合に加えて、例えば、端面側の端部を各凹部において追加的にクロスボルト、スナップフック又はねじ込み継手によっても保持することによって、結合部を形状結合式に構成することが可能である。
【００２０】
クリーニングカートの簡単かつ安価な製造可能性及び可能な限り簡単な組立てに関して好適な態様では、すべてのストラットは同一部材として形成されている。
【００２１】
ストラットはそれぞれ、アンダカットを有していない、周方向において閉じられた形状を有していてよい。このように構成されていると、ストラットを簡単かつ徹底的にクリーニングすることができるので、クリーニングカートを容易に清潔に保つことができる。そしてこれによって、例えば開放した形状において生じ得るような汚れた角隅が生じなくなる。
【００２２】
また、ストラットが、メートル単位の商品として特に簡単かつ安価に製造可能な、押出し成形された又は溶接された成形体から成っていると、さらに好適である。
【００２３】
ストラットは、好ましくは、円形とは異なった横断面を有することができる。この場合、非円形の成形体に例えば、別の清掃器具を収容するための追加的なホルダがクリップ留めできるようになっていて、ホルダが追加的な手段なしに回動不能にストラットに保持されていると、有利である。
【００２４】
本発明の別の態様では、ストラットは楕円形横断面を有していて、該楕円形横断面のそれぞれの長軸は、ほぼクリーニングカートの主走行方向に延びている。ストラットがそれぞれ、主走行方向に対して横方向延びていて比較的短い短軸に比べて、主走行方向において比較的長い長軸を有していることによって、主走行方向におけるクリーニングカートの安定性は特に大きくなる。主走行方向における又はそれとは逆方向における加速時又は制動時に生じ得る、ストラットの変形のおそれは、上記の構成によって最小に減じられる。ストラットはその自重が小さい場合に、主走行方向において特に大きな剛性を有する。
【００２５】
互いに台形に配置されたストラットの長軸は、主走行方向において互いに収斂するように配置されていてよい。これによって、ベースプレート及びワーキングプレートの固定領域における相応に形成された凹部と相俟って、ベースプレート及びワーキングプレートが互いに位置正確に組み立てられ得ることが保証される。クリーニングカートの組立工が、例えば、ワーキングプレートを１８０°ずらしてベースプレートに結合しようとした場合、ストラットをワーキングプレートの第２の固定領域に導入することは不可能である。収斂する配置形態によって組立て確実性が得られる。
【００２６】
長軸は主走行方向において、２°〜４５°の角度、好ましくは１０°〜１５°の角度を成していてよい。このような場合でもストラットの長軸は、なおほぼクリーニングカートの主走行方向に延びていると定義することができる。このような角度によって、主走行方向におけるストラットの安定性と組立て確実性との間における良好な妥協案が得られる。
【００２７】
凹部は所定の奥行きを有していて、このとき対応するストラットが収容されている凹部の奥行きと、収容されたストラットの長軸の長さとの比は、理想的には１〜３である。クリーニングカートの安定性は、このような特徴的な構成によっても促進される。ストラットが端面側において少なくともそれぞれ、ストラットの長軸の長さと同じ寸法で凹部に収容されていることによって、ストラットはベースプレートにおいてもワーキングプレートにおいても十分良好に案内されている。従って、例えば、また再び不所望の所要スペースを必要とする追加的な筋交いのような、クリーニングカートの耐久性を改善するための別の手段は、不要になる。
【００２８】
ベースプレート及びワーキングプレートはそれぞれ外側画定部を有している。多くの使用例にとって、ベースプレート及びワーキングプレートがほぼ方形に形成されていると、好適であることが判明している。
【００２９】
使用例のその都度の所与性に関連して、ワーキングプレートとベースプレートとは同じ大きさであっても又は異なった大きさであってもよい。
【００３０】
比較的大きなベースプレートは、例えば、清掃器具をベースプレートの上に置きたい場合に設けられる。このような清掃器具は、フラットワイパによって形成されていてよい。この比較的大きなベースプレートには、比較的小さな第１の面を備えた比較的小さな第１の固定領域が設けられており、この場合ベースプレートには、互いに小さな第１の間隔を有するストラットの第１の端面側の端部が配置されている。
【００３１】
これとは異なり、例えば雑巾又はバケツのような清掃器具を、ワーキングプレートの下においてベースプレートに向けられた側に収容したい場合には、ワーキングプレートは、好ましくはベースプレートよりも大きく形成されていて、第２の固定領域及び第２の面は、第１の固定領域及び第１の面に対して小さく、これによって、第２の間隔をおいて互いに狭い位置で配置されている第２の端面側の端部のそばには、清掃器具を一緒に運ぶためのスペースが得られる。
【００３２】
比較的小さな第１又は第２の固定領域は、比較的大きなベースプレート又はワーキングプレートの外側画定部と共に、少なくとも１つの清掃器具のための設置面を画定することができる。
【００３３】
ストラットを本発明のように配置することによって得られる設置面は、少なくとも５０ｍｍの幅を有していてよい。このような幅は、開かれたもしくは起こされた状態において好ましくは１００ｍｍの幅を有するフラットワイパをも、このフラットワイパがベースプレートの最大の周囲側における最大制限部を越えることなしに、クリーニングカートにおいて一緒に運ぶことができるようにするのに、好適である。
【００３４】
ベースプレートは、ワーキングプレートとは反対の側に車輪を有することができ、このとき、そのうちの走行方向において前側の車輪だけが操縦可能に構成されている車輪を使用すると好適である。これによってクリーニングカートの操作性も特に良好になる。
【００３５】
次に図１〜図８を参照しながら、本発明に係るクリーニングカートの１つの実施の形態を説明する。
【図面の簡単な説明】
【００３６】
【図１】クリーニングカートを斜め上前方から見た斜視図である。
【図２】使用されるストラットを示す正面図である。
【図３】図２に示したストラットの側面図である。
【図４】図２及び図３に示したストラットを上から見た平面図である。
【図５】ベースプレートだけを単体として示す平面図である。
【図６】ワーキングプレートを下から見た図である。
【図７】ストラットを用いて比較的大きなベースプレートの上方に取り付けられた、比較的小さなワーキングプレートを示す平面図である。
【図８】ワーキングプレートの一部を示す図であって、凹部内にストラットが配置されている様子を示す図である。
【００３７】
本発明の実施の形態
図１には、本発明に係るクリーニングカートの１つの実施の形態が斜視図で示されている。
【００３８】
クリーニングカートは、ほぼ方形に形成されたベースプレート１を有しており、このベースプレート１の下面には各角隅に車輪３０が配置されている。主走行方向１７において前側に配置された車輪３０は、操縦可能であり、主走行方向１７において後側に配置された車輪３０は固定である。
【００３９】
ベースプレート１は、ワーキングプレート３に向けられた上面に第１の固定領域９を有しており、この第１の固定領域９は、ワーキングプレート３の第２の固定領域１２の第２の面１４に比べて小さな第１の面１３を有している。第１の固定領域９は、ストラット５，６の第１の端面側の端部７，８を収容する２つの凹部１８，１９を有している。
【００４０】
ワーキングプレート３はその下面に第２の固定領域１２を有しており、この固定領域１２には、ストラット５，６の第２の端面側の端部１０，１１が収容されている。第２の固定領域１２は第２の面１４を有しており、この第２の面１４は、ベースプレート１の第１の固定領域９の第１の面１３よりも大きい。
【００４１】
図示された実施の形態では、ベースプレート１とワーキングプレート３とは、互いに非平行に延びている２つのストラット５，６によって互いに結合されており、両ストラット５，６は、ベースプレート１とワーキングプレート３との間における鉛直方向間隔２に配置されている。ストラット５，６は連結体４を形成している。
【００４２】
ストラット５，６は、同一部材として形成されていて、閉じられた楕円形横断面を有している。このときストラット５，６は、ストラット５，６の楕円形横断面の長軸２２，２３がクリーニングカートの主走行方向１７に延びていて、長軸２２，２３が主走行方向１７において共に約７°である角度２４，２５を成すように、ベースプレート１及びワーキングプレートに結合されている。これによってワーキングプレート３を位置適正にベースプレート１に結合することができる。長軸２２，２３が互いに成す小さな角度２４，２５は、単に組立て確実性のために設定されている。
【００４３】
既に図面から認識できるように、ベースプレート１の外側画定部２６は、ワーキングプレート３の外側画定部２７よりも大きいので、ベースプレート１の比較的小さな第１の固定領域９と外側画定部２６との間には、図示の場合ではフラットワイパである清掃器具用の設置面２８が存在する。図示の実施の形態では設置面２８の幅２９は、１００ｍｍである。
【００４４】
フラットワイパの払拭面は、完全に、ベースプレート１の外側画定部２６の内側に位置しているので、クリーニングカートの一部及び/又はクリーニングカートに収容もしくは取り付けられた清掃器具の一部が、外側画定部２６を越えて突出することはない。フラットワイパの柄は、ベースプレート１からワーキングプレート３に向かって鉛直方向に延びていて、ワーキングプレート３に例えばクリップによって固定されている。
【００４５】
図示の実施の形態では、ストラット５，６は、クリーニングカートの主走行方向１７に対して横方向に互いに台形状に配置され、つまりクリーニングカートの主走行方向１７に延在する仮想の鉛直平面３１に対して対称的に配置されており、すなわちストラット５，６は、この平面３１に対して対称的に配置されている。ストラット５，６が平面３１に対して対称的に配置されていることによって、主走行方向１７に対して横方向にベースプレート１の上面において両側に、設置面２８.１，２８.２が設けられる。
【００４６】
しかしながらまた、このような態様とは異なり、ストラット５，６を平面３１に対して非対称に配置することも可能である。
【００４７】
図２〜図４には、ストラット５，６のうちの１つが示されている。ストラット５，６は図２においては前から見た図で示され、図３には側方から見た図で示され、図４には上から見た図で示されている。
【００４８】
ストラット５，６は同一部材として形成されていて、楕円形横断面を有している。ストラット５，６の長軸２２，２３は、ストラット５，６の取り付けられた状態において、ほぼクリーニングカートの主走行方向１７に延びているので、ストラット５，６を用いたベースプレート１におけるワーキングプレート３の支持は、特に主走行方向１７において特に剛性である。
【００４９】
図５には、ベースプレート１が平面図で示されている。ベースプレート１には、比較的小さな第１の面１３だけを有する第１の固定領域９が設けられている。この第１の固定領域９は、凹部１８，１９を有しており、両凹部１８，１９には、クリーニングカートの組立て状態において、ストラット５，６の第１の端面側の端部７，８が配置されている。凹部１８，１９の奥行きは、少なくとも、ストラット５，６の長軸２２，２３の長さと同じ大きさである。
【００５０】
ベースプレート１は全体がポリマ材料から成っていて、一体に形成されている。
【００５１】
図６には、ワーキングプレート３が下から見た図で示されている。ワーキングプレート３もまたポリマ材料から成っていて、一体に形成されている。ワーキングプレート３はベースプレート１に向けられた下面に、第２の固定領域１２を有しており、この第２の固定領域１２は、ベースプレート１の第１の固定領域９の第１の面１３よりも大きな第２の面１４を有している。
【００５２】
図５及び図６から認識できるように、ストラット５，６の第１の端面側の端部７，８、ひいては凹部１８，１９は、互いの間に第１の間隔１５を有し、第２の端面側の端部１０，１１、ひいては凹部２０，２１は、互いの間に第２の間隔１６を有している。このとき第１の間隔１５は、ストラット５，６のほぼ台形状の配置形態によって、第２の間隔１６よりも小さい。
【００５３】
図７には、クリーニングカートが上から見た平面図で示されている。この図７から認識できるように、ワーキングプレート３はベースプレート１よりも小さい。ストラット５，６及び第１の固定領域９は破線で示されており、第１の固定領域９とベースプレート１の外側画定部２６との間には、主走行方向１７に対して横方向にそれぞれ１つの設置面２８.１，２８.２が配置されている。両設置面２８.１，２８.２においてはそれぞれフラットワイパが支持されている。
【００５４】
ベースプレート１の外側画定部２６からは、清掃器具もクリーニングカートの他の部材も突出していないので、狭い空間においても、外側画定部２６を越えて突出する部材が家具や壁を傷付けることはない。
【００５５】
図８には、ベースプレート１の第１の固定領域９の一部が示されている。固定領域９には凹部１８，１９が配置されていて、両凹部１８，１９は、図示の実施の形態では、ストラット５，６の第１の端面側の端部７，８と合同に形成されている。
【００５６】
凹部１８，１９の奥行きは、ストラット５，６の長軸２２，２３の対応する長さに相当している。ストラット５，６が凹部１８，１９内に比較的大きな重なりをもって配置されていることによって、クリーニングカートの良好な安定性が得られ、かつストラット５，６を工具なしに凹部１８，１９，２０，２１内に取り付けることが可能になる。
【図１】
2016522111.tif 000003
【図２】
2016522111.tif 000004
【図３】
2016522111.tif 000005
【図４】
2016522111.tif 000006
【図５】
2016522111.tif 000007
【図６】
2016522111.tif 000008
【図７】
2016522111.tif 000009
【図８】
2016522111.tif 000010
【国際調査報告】
2016522111.tif 000011
2016522111.tif 000012
2016522111.tif 000013
2016522111.tif 000014
2016522111.tif 000015